【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
レーザー光を出射する光源と、
回転し、前記光源から出射されたレーザー光を偏向する回転多面鏡と、
前記回転多面鏡により偏向されたレーザー光を感光体に導く複数の光学部材と、
底部と、前記底部から立設された複数の側壁部と、を有し、前記複数の側壁部の中で前記光学部材の長手方向に交差する側壁部に前記光源が取り付けられ、前記底部に前記回転多面鏡が取り付けられた筐体と、
前記複数の光学部材のうちの前記回転多面鏡によって偏向されたレーザー光の光路上において前記回転多面鏡に最も近いレンズと前記底部との間に当該レンズの長手方向と交差するように前記底部に設けられ、前記回転多面鏡が配置された空間から前記レンズを介して前記回転多面鏡が配置された空間とは反対側の空間に前記回転多面鏡の回転によって生じる気流を導く風路を形成する複数の壁部と、
を備えることを特徴とする光走査装置。
【請求項２】
前記回転多面鏡の回転によって生じる気流は、前記レンズと前記筐体の前記底部との間を通過し、前記回転多面鏡が配置された第１空間から、前記レンズに対して前記回転多面鏡とは反対側の前記複数の光学部材が配置された第２空間に流れることを特徴とする請求項１に記載の光走査装置。
【請求項３】
前記筐体に一体に形成され、前記レンズの一端及び他端を支持する２つの支持部と、
前記２つの支持部に支持された前記レンズと交差する方向において前記底部に設けられた溝部であって、前記複数の壁部の中の２つの壁部を、前記レンズの長手方向における前記溝部の両端部の２つの側壁とする前記溝部と、
を有し、
前記溝部と前記２つの壁部とにより、前記回転多面鏡の回転によって生じる気流が流れ込む前記風路が形成されていることを特徴とする請求項２に記載の光走査装置。
【請求項４】
前記筐体に一体に形成され、前記レンズの一端及び他端を支持する２つの支持部と、
前記２つの支持部に支持された前記レンズと交差する方向において前記底部から立設した前記複数の壁部の中の２つの壁部と、
を有し、
前記底部と前記２つの壁部とにより、前記回転多面鏡の回転によって生じる気流が流れ込む前記風路が形成されていることを特徴とする請求項２に記載の光走査装置。
【請求項５】
前記風路は、前記回転多面鏡を挟んで前記第２空間とは反対側の第３空間における前記筐体の前記底部にも設けられていることを特徴とする請求項３又は請求項４に記載の光走査装置。
【請求項６】
前記風路は、前記レンズと、前記筐体の前記複数の側壁部の中で前記長手方向に略平行な側壁部との間まで延びていることを特徴とする請求項３又は請求項４に記載の光走査装置。
【請求項７】
前記風路は、前記長手方向に交差する方向における長さが、前記長手方向における長さよりも長いことを特徴とする請求項３又は請求項４に記載の光走査装置。
【請求項８】
前記風路は、前記筐体の前記複数の側壁部の中で前記長手方向に略平行な側壁部に到達するまで延びていることを特徴とする請求項３又は請求項４に記載の光走査装置。
【請求項９】
前記回転多面鏡を駆動する駆動部と、
前記回転多面鏡及び前記駆動部が搭載された基板と、
を有し、
前記基板は、前記長手方向に交差する方向において前記風路に接していることを特徴とする請求項３から請求項８のいずれか１項に記載の光走査装置。
【請求項１０】
前記２つの壁部の間の距離は、前記２つの支持部の間の距離よりも小さいことを特徴とする請求項３から請求項９のいずれか１項に記載の光走査装置。
【請求項１１】
前記回転多面鏡により偏向されたレーザー光の前記レンズへの入射を規制する第１の開口を有する遮蔽板を有し、
前記遮蔽板は、前記風路につながる第２の開口を有することを特徴とする請求項３から請求項１０のいずれか１項に記載の光走査装置。
【請求項１２】
レーザー光を出射する光源と、
回転し、前記光源から出射されたレーザー光を偏向する回転多面鏡と、
前記回転多面鏡により偏向されたレーザー光を感光体に導く複数の光学部材と、
前記回転多面鏡と前記複数の光学部材とを内部に収容する筐体と、
を備え、
前記筐体は、前記回転多面鏡と、前記複数の光学部材のうちの前記回転多面鏡によって偏向されたレーザー光の光路上において前記回転多面鏡に最も近いレンズと、が取り付けられる底部と有し、
前記底部には、前記レンズの長手方向における前記レンズの両端側をそれぞれ支持する複数の支持部と、前記回転多面鏡が配置された第１空間と前記レンズを介して前記第１空間とは反対側の第２空間とを連通する溝部であって、前記回転多面鏡の回転軸線方向において前記レンズと重なる部分から前記第２空間にわたって延びる前記溝部が形成されていることを特徴とする光走査装置。
【請求項１３】
前記複数の光学部材のうち前記レンズ以外の前記光学部材は前記第２空間に位置するように前記筐体に収容されており、前記溝部は前記回転軸線方向において前記レンズ以外の前記光学部材と重なる位置に延びていることを特徴とする請求項１２に記載の光走査装置。
【請求項１４】
前記複数の支持部は、前記長手方向における前記レンズの一端側を支持する第１支持部と、前記長手方向における前記レンズの他端側を支持する第２支持部と、前記第１支持部と前記第２支持部との間において前記レンズを支持する第３支持部と、を備え、
前記第３支持部は前記溝部に形成されていることを特徴とする請求項１３に記載の光走査装置。
【請求項１５】
前記第１支持部と前記第２支持部とによって支持される前記レンズと交差する方向において前記底部から立設した２つの壁部を有し、
前記底部と前記２つの壁部とにより、前記回転多面鏡の回転によって生じる気流が流れ込む風路が形成されていることを特徴とする請求項１４に記載の光走査装置。
【請求項１６】
前記風路は、前記回転多面鏡が取り付けられる位置を挟んで前記第２空間とは反対側の第３空間における前記底部にも設けられていることを特徴とする請求項１５に記載の光走査装置。
【請求項１７】
前記風路は、前記長手方向に交差する方向における長さが、前記長手方向における長さよりも長いことを特徴とする請求項１５又は請求項１６に記載の光走査装置。
【請求項１８】
前記２つの壁部の間の距離は、前記２つの支持部の間の距離よりも小さいことを特徴とする請求項１５から請求項１７のいずれか１項に記載の光走査装置。
【請求項１９】
前記回転多面鏡により偏向されたレーザー光の前記レンズへの入射を規制するための第１の開口を有する遮蔽板を有し、
前記遮蔽板は、前記風路につながる第２の開口を有することを特徴とする請求項１５から請求項１８のいずれか１項に記載の光走査装置。
【請求項２０】
請求項１から請求項１９のいずれか１項に記載の光走査装置と、
前記光走査装置から走査されたレーザー光により潜像が形成される前記感光体と、
前記感光体に形成された潜像をトナーにより現像しトナー像を形成する現像手段と、
前記現像手段により形成されたトナー像を被転写体に転写する転写手段と、
を備えることを特徴とする画像形成装置。
【手続補正２】
【補正対象書類名】明細書
【補正対象項目名】発明の名称
【補正方法】変更
【補正の内容】
【発明の名称】光走査装置及び画像形成装置
【手続補正３】
【補正対象書類名】明細書
【補正対象項目名】０００１
【補正方法】変更
【補正の内容】
【０００１】
本発明は、複写機、プリンタ、ファクシミリ、それらの複合機等の画像形成装置に用いられる光走査装置及びその光走査装置を備える画像形成装置に関する。
【手続補正４】
【補正対象書類名】明細書
【補正対象項目名】０００９
【補正方法】変更
【補正の内容】
【０００９】
（１）レーザー光を出射する光源と、回転し、前記光源から出射されたレーザー光を偏向する回転多面鏡と、前記回転多面鏡により偏向されたレーザー光を感光体に導く複数の光学部材と、底部と、前記底部から立設された複数の側壁部と、を有し、前記複数の側壁部の中で前記光学部材の長手方向に交差する側壁部に前記光源が取り付けられ、前記底部に前記回転多面鏡が取り付けられた筐体と、前記複数の光学部材のうちの前記回転多面鏡によって偏向されたレーザー光の光路上において前記回転多面鏡に最も近いレンズと前記底部との間に当該レンズの長手方向と交差するように前記底部に設けられ、前記回転多面鏡が配置された空間から前記レンズを介して前記回転多面鏡が配置された空間とは反対側の空間に前記回転多面鏡の回転によって生じる気流を導く風路を形成する複数の壁部と、を備えることを特徴とする光走査装置。
（２）レーザー光を出射する光源と、回転し、前記光源から出射されたレーザー光を偏向する回転多面鏡と、前記回転多面鏡により偏向されたレーザー光を感光体に導く複数の光学部材と、前記回転多面鏡と前記複数の光学部材とを内部に収容する筐体と、を備え、前記筐体は、前記回転多面鏡と、前記複数の光学部材のうちの前記回転多面鏡によって偏向されたレーザー光の光路上において前記回転多面鏡に最も近いレンズと、が取り付けられる底部と有し、前記底部には、前記レンズの長手方向における前記レンズの両端側をそれぞれ支持する複数の支持部と、前記回転多面鏡が配置された第１空間と前記レンズを介して前記第１空間とは反対側の第２空間とを連通する溝部であって、前記回転多面鏡の回転軸線方向において前記レンズと重なる部分から前記第２空間にわたって延びる前記溝部が形成されていることを特徴とする光走査装置。
（３）前記（１）又は前記（２）に記載の光走査装置と、前記光走査装置から走査されたレーザー光により潜像が形成される前記感光体と、前記感光体に形成された潜像をトナーにより現像しトナー像を形成する現像手段と、前記現像手段により形成されたトナー像を被転写体に転写する転写手段と、を備えることを特徴とする画像形成装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】